【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
ワークに対向させるためのワーク対向面を有する台金と、芯線に多数の砥粒が固着されて成る固定砥粒ワイヤーとを有し、
上記ワーク対向面が、該台金の回転軸周りの外周面から成っており、
上記固定砥粒ワイヤーが、台金の外周面上において、上記回転軸方向に沿って螺旋状に巻かれ、且つ、上記回転軸方向に隣り合う当該固定砥粒ワイヤー同士において一方の固定砥粒ワイヤーの砥粒の先端が他方の固定砥粒ワイヤーに接するように密巻きされて該台金に固定されていて、それにより、該台金の外周面上に、ワーク研削用の研削部が形成されていると共に、上記回転軸方向に隣り合う固定砥粒ワイヤー間の凹部から成る切屑排出用の排出溝が形成されていることを特徴とする研削砥石。
【請求項２】
請求項１に記載の研削砥石において、
上記固定砥粒ワイヤーは、その長手方向の両端に第１端と第２端をそれぞれ有していて、その第１端部が台金の回転軸方向の一端側に固着され、その第２端部が該台金の回転軸方向の他端側に固着されていると共に、これら第１端部と第２端部との間に位置する中間部が、上記台金の外周面に対して、非固着状態で上記回転軸方向に相対動可能に巻かれていることを特徴とするもの。
【請求項３】
ワークに対向させるためのワーク対向面を有する台金と、芯線に多数の砥粒が固着されて成る固定砥粒ワイヤーとを有し、
上記台金のワーク対向面が、該台金の回転軸方向における一端側の端面から成っており、上記固定砥粒ワイヤーが、台金の端面上において、上記回転軸周りに渦巻き状に巻かれた状態で該台金に固定されていて、それにより、該台金の端面上に、ワーク研削用の研削部が形成されていると共に、該台金の径方向に隣り合う固定砥粒ワイヤー間の凹部から成る切屑排出用の排出溝が形成されていることを特徴とする研削砥石。
【請求項４】
請求項３に記載の研削砥石において、
上記固定砥粒ワイヤーは、その長手方向の両端に第１端と第２端をそれぞれ有していて、その第１端部が台金の端面における径方向一方側に固着され、その第２端部が該台金の径方向他方側に固着されていると共に、これら第１端部と第２端部との間に位置する中間部が、上記台金の端面に対して、固定砥粒ワイヤーの長手方向に沿って断続的に固着されていることを特徴とするもの。
【請求項５】
請求項３又は４に記載の研削砥石において、
上記台金の端面には、渦巻き状に凹設されたガイド溝が刻設されており、上記固定砥粒ワイヤーが、このガイド溝の長さ方向に沿って該ガイド溝内に配設された状態で、該台金に固定されていることを特徴とするもの。
【請求項６】
ワークに対向させるためのワーク対向面を有する台金の該ワーク対向面上に、ワーク研削用の研削部と切屑排出用の排出溝とが形成された研削砥石の製造方法であって、
上記台金の回転軸周りの外周面を上記ワーク対向面とし、芯線に砥粒が固着されて成る固定砥粒ワイヤーを、該台金の外周面上に、その回転軸方向の一端側から他端側に向けて螺旋状に巻いて、且つ、上記回転軸方向に隣り合う当該固定砥粒ワイヤー同士において一方の固定砥粒ワイヤーの砥粒の先端が他方の固定砥粒ワイヤーに接するように密巻きすることによって、該外周面上に、上記研削部を形成すると共に、上記回転軸方向に隣り合う固定砥粒ワイヤー間の凹部により上記排出溝を形成するステップと、
固定砥粒ワイヤーの長手方向における第１端部及び第２端部を、台金に固着するステップとを含むことを特徴とする研削砥石の製造方法。
【請求項７】
ワークに対向させるためのワーク対向面を有する台金の該ワーク対向面上に、ワーク研削用の研削部と切屑排出用の排出溝とが形成された研削砥石の製造方法であって、
上記台金の回転軸方向の一端側の端面を上記ワーク対向面とし、芯線に砥粒が固着されて成る固定砥粒ワイヤーを、該台金の端面上で、その回転軸周りに渦巻き状に巻くことによって、該端面上に、上記研削部を形成すると共に、該端面の径方向に隣り合う固定砥粒ワイヤー間の凹部により上記排出溝を形成するステップと、
固定砥粒ワイヤーの長手方向における第１端部及び第２端部、並びに該固定砥粒ワイヤーの第１端部と第２端部との間に位置する中間部を、台金に固着するステップとを含むことを特徴とする研削砥石の製造方法。
【請求項８】
請求項７に記載の研削砥石の製造方法において、
上記回転軸周りに渦巻き状に凹設されたガイド溝を刻設するステップと、
上記固定砥粒ワイヤーを、上記ガイド溝の長さ方向に沿って該ガイド溝内に配置するステップとを含むことを特徴とするもの。
【手続補正２】
【補正対象書類名】明細書
【補正対象項目名】０００６
【補正方法】変更
【補正の内容】
【０００６】
上記課題を解決するため、本発明によれば、ワークに対向させるためのワーク対向面を有する台金と、芯線に多数の砥粒が固着されて成る固定砥粒ワイヤーとを有し、上記ワーク対向面が、該台金の回転軸周りの外周面から成っており、上記固定砥粒ワイヤーが、台金の外周面上において、上記回転軸方向に沿って螺旋状に巻かれ、且つ、上記回転軸方向に隣り合う当該固定砥粒ワイヤー同士において一方の固定砥粒ワイヤーの砥粒の先端が他方の固定砥粒ワイヤーに接するように密巻きされて該台金に固定されていて、それにより、該台金の外周面上に、ワーク研削用の研削部が形成されていると共に、上記回転軸方向に隣り合う固定砥粒ワイヤー間の凹部から成る切屑排出用の排出溝が形成されていることを特徴とする研削砥石が提供される。
【手続補正３】
【補正対象書類名】明細書
【補正対象項目名】０００７
【補正方法】変更
【補正の内容】
【０００７】
このとき、好ましくは、上記固定砥粒ワイヤーは、その長手方向の両端に第１端と第２端をそれぞれ有していて、その第１端部が台金の回転軸方向の一端側に固着され、その第２端部が該台金の回転軸方向の他端側に固着されていると共に、これら第１端部と第２端部との間に位置する中間部が、上記台金の外周面に対して、非固着状態で上記回転軸方向に相対動可能に巻かれている。
【手続補正４】
【補正対象書類名】明細書
【補正対象項目名】０００８
【補正方法】変更
【補正の内容】
【０００８】
また、本発明によれば、ワークに対向させるためのワーク対向面を有する台金と、芯線に多数の砥粒が固着されて成る固定砥粒ワイヤーとを有し、上記台金のワーク対向面が、該台金の回転軸方向における一端側の端面から成っており、上記固定砥粒ワイヤーが、台金の端面上において、上記回転軸周りに渦巻き状に巻かれた状態で該台金に固定されていて、それにより、該台金の端面上に、ワーク研削用の研削部が形成されていると共に、該台金の径方向に隣り合う固定砥粒ワイヤー間の凹部から成る切屑排出用の排出溝が形成されていることを特徴とする研削砥石が提供される。
【手続補正５】
【補正対象書類名】明細書
【補正対象項目名】０００９
【補正方法】変更
【補正の内容】
【０００９】
このとき、好ましくは、上記固定砥粒ワイヤーは、その長手方向の両端に第１端と第２端をそれぞれ有していて、その第１端部が台金の端面における径方向一方側に固着され、その第２端部が該台金の径方向他方側に固着されていると共に、これら第１端部と第２端部との間に位置する中間部が、上記台金の端面に対して、固定砥粒ワイヤーの長手方向に沿って断続的に固着されている。
【手続補正６】
【補正対象書類名】明細書
【補正対象項目名】００１１
【補正方法】変更
【補正の内容】
【００１１】
さらに、本発明によれば、ワークに対向させるためのワーク対向面を有する台金の該ワーク対向面上に、ワーク研削用の研削部と切屑排出用の排出溝とが形成された研削砥石の製造方法であって、上記台金の回転軸周りの外周面を上記ワーク対向面とし、芯線に砥粒が固着されて成る固定砥粒ワイヤーを、該台金の外周面上に、その回転軸方向の一端側から他端側に向けて螺旋状に巻いて、且つ、上記回転軸方向に隣り合う当該固定砥粒ワイヤー同士において一方の固定砥粒ワイヤーの砥粒の先端が他方の固定砥粒ワイヤーに接するように密巻きすることによって、該外周面上に、上記研削部を形成すると共に、上記回転軸方向に隣り合う固定砥粒ワイヤー間の凹部により上記排出溝を形成するステップと、
固定砥粒ワイヤーの長手方向における第１端部及び第２端部を、台金に固着するステップとを含むことを特徴とする研削砥石の製造方法が提供される。
【手続補正７】
【補正対象書類名】明細書
【補正対象項目名】００１２
【補正方法】変更
【補正の内容】
【００１２】
また、本発明によれば、ワークに対向させるためのワーク対向面を有する台金の該ワーク対向面上に、ワーク研削用の研削部と切屑排出用の排出溝とが形成された研削砥石の製造方法であって、上記台金の回転軸方向の一端側の端面を上記ワーク対向面とし、芯線に砥粒が固着されて成る固定砥粒ワイヤーを、該台金の端面上で、その回転軸周りに渦巻き状に巻くことによって、該端面上に、上記研削部を形成すると共に、該端面の径方向に隣り合う固定砥粒ワイヤー間の凹部により上記排出溝を形成するステップと、固定砥粒ワイヤーの長手方向における第１端部及び第２端部、並びに該固定砥粒ワイヤーの第１端部と第２端部との間に位置する中間部を、台金に固着するステップとを含むことを特徴とする研削砥石の製造方法が提供される。